(57)【要約】      （修正有）【課題】飲料容器を固定する部分を持つペットボトルや紙コップ等の固定器具を提供する。【解決手段】トレー５に、ゴム管針金によるフォーク状の爪で差し込み固定する。【選択図】図１
2014217725.tif 000002
【特許請求の範囲】
【請求項１】
配膳用のトレーや電車のトレー等に固定するゴム管針金による、手の形を象った飲料容器を固定する部分を持つペットボトルや紙コップ等の固定器具
【請求項２】
さらに、フォーク状の爪で固定する請求項１の固定器具
【請求項３】
さらに、ゴム管を履かせた請求項１の固定器具。
【請求項４】
さらに、ゴム管は飴色等人間の肌の色等、用途に応じ色を使い分けた請求項１の固定器具。
【請求項５】
さらに、飲料容器等固定部分がコイル状乃至人間の手の形を模し、固定する機能として使用者である健常者のみならず、認知症を患う高齢者、又は幼児等を対象とした請求項１の固定器具。
【請求項６】
さらに、飲料容器に応じ、針金の太さ・ゴム管の太さ等や固定器具の大きさ等を調整した請求項１の固定器具。
【請求項７】
さらに、図では、図が意味するのを明らかにする為、敢えて大きめに表現したが、大小の寸法をも含む請求項１の表示。
【発明の詳細な説明】
【技術分野】
【０００１】  本発明は、フォーク状の爪で配膳用のトレーや電車のトレー等に固定するゴム管針金による、手の形を象った飲料容器を固定する部分を持つペットボトルや紙コップ等の固定器具に関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００３】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具が作成可能ではないかと考えた。しかも滑り止め・防振・防水・携帯性又はそのゴム管が人間の肌色にも近似する色彩を持つことから、容器固定部分を人間の手の形が握っている形にし、容器を差し出している或いは手で固定している遊興性をも兼ね備え、健常者には遊興性を提供し、認知機能がおとろえを見せている高齢者には、本来一人ひとりの介護施設利用者に慈しみと慈愛を持って飲料を差し出す介護を要するところ昨今のやんごとなき介護施設の深刻な人手不足のため、人間の手で飲料が提供されている風情をも提供可能な、フォーク状の爪で配膳用のトレーや電車のトレー等に固定するゴム管針金による、手の形を象った飲料容器を固定する部分を持つペットボトルや紙コップ等の固定器具にも応用利用可能ではないかと気が付いた。
柔軟性のある針金を、トレー等とこの固定器具との固定は、フォーク状の爪を加工し成形し、トレー等に差し込み、固定する。次にペットボトル、紙コップ等飲料容器は、その形状・硬さ・飲料の温度等一律ではないので、コイル状に筆記用具固定器具を固定するように、コイル状に飲料容器を固定するが、無機質な固定器具でなく使い手が人間であることを考慮し、人間の手の形の飲料容器固定部分とし、あたかも飲料を握って差し出しているかのような遊興性を添えて成形すれば、健常者のみならず要介護認知症を患った高齢者、又は幼児をも遊興の対象にすることが可能ではないかと考えた。単に、無機質の固定器具ではなく、人間の手の形を模してみたのは健常者には遊興性を提供し、認知機能の衰えを見せる要介護高齢者には、人間の手による飲料の提供であるかのような慈愛と慈しみをも提供し、介護・医療現場の深刻な人手不足を巣押しでも使用者提供者両サイドから改善しようとした。本発明は、ゴム管を巻いた針金で構成されるため、衝撃イコール即破損といった一般的なプラスチック・金属製品とは異なり、落下などによる衝撃の破損の可能性が低い。認知機能の衰えた要介護高齢者が踏み潰しても、形状の変化は見ても、余ほど鋭角な折込を数度同じ個所に故意に入れない限り破損の心配が少ない。従って、滑り止め・防振・防水・携帯性・廉価性又はそのゴム管が人間の肌色にも近似する色彩を持つこと、身近な材料のみで構成されること等から、携帯しても出張鞄等のサイドスペースに押し込み、出して形を整て使用する、落下して人が誤って踏んでも形を整えて使用可能であるのみならず、健常者や特に要介護高齢者で在宅や施設で介護や医療を受ける者等にも広く普及することを期待することが可能である。
トレー等平べったい形状の物に差し込み固定するのなら、当然自家用車等の空調機の排気口部分に差し入れ固定する応用は可能であり、巻いたゴム管が滑り止め・防振・防水・携帯性を発揮し、容易に曲がる柔軟性がフットブレーキ部分に走行の振動で落下しても、ブレーキ操作に何ら支障を与えない安全性があることは変わらない。
【０００４】飲料容器の固定器具として、先人の優れた考案が既になされている。
［特許出願２０１１−１８５４０９］
［特許公開２０１３−４６６４８］カップ・小物ホルダー
［特許出願２００２−３６３１０１］
［特許公開２００４−１６１２２５］トレー付きカップホルダー
［実用新案出願２００２−８３９８］
［登録実用新案第３０９４４１０号］トレー付きカップホルダー
しかし、トレー等にフォーク状に差し入れ固定する、滑り止め・防振・防水・携帯性又はそのゴム管が人間の肌色にも近似する色彩を持つことから、容器固定部分を人間の手の形が握っている形にし、容器を差し出している或いは手で固定している遊興性をも兼ね備え、健常者には遊興性を提供し、認知機能がおとろえを見せている高齢者には、本来一人ひとりの介護施設利用者に慈しみと慈愛を持って飲料を差し出す介護を要するところ昨今のやんごとなき介護施設の深刻な人手不足のため、人間の手で飲料が提供されている風情をも提供可能な、フォーク状の爪で配膳用のトレーや電車のトレー等に固定するゴム管針金による、手の形を象った飲料容器を固定する部分を持つペットボトルや紙コップ等の固定器具を見出すことができなかった。
【発明が解決しようとする課題】
【０００５】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具が作成可能ではないかと考えた。しかも滑り止め・防振・防水・携帯性又はそのゴム管が人間の肌色にも近似する色彩を持つことから、容器固定部分を人間の手の形が握っている形にし、容器を差し出している或いは手で固定している遊興性をも兼ね備え、健常者には遊興性を提供し、認知機能がおとろえを見せている高齢者には、本来一人ひとりの介護施設利用者に慈しみと慈愛を持って飲料を差し出す介護を要するところ昨今のやんごとなき介護施設の深刻な人手不足のため、人間の手で飲料が提供されている風情をも提供可能な、フォーク状の爪で配膳用のトレーや電車のトレー等に固定するゴム管針金による、手の形を象った飲料容器を固定する部分を持つペットボトルや紙コップ等の固定器具にも応用利用可能ではないかと気が付いた。
【課題を解決するための手段】
【０００６】  柔軟性のある針金を、トレー等とこの固定器具との固定は、フォーク状の爪を加工し成形し、トレー等に差し込み、固定する。次にペットボトル、紙コップ等飲料容器は、その形状・硬さ・飲料の温度等一律ではないので、コイル状に筆記用具固定器具を固定するように、コイル状に飲料容器を固定するが、無機質な固定器具でなく使い手が人間であることを考慮し、人間の手の形の飲料容器固定部分とし、あたかも飲料を握って差し出しているかのような遊興性を添えて成形すれば、健常者のみならず要介護認知症を患った高齢者、又は幼児をも遊興の対象にすることが可能ではないかと考えた。単に、無機質の固定器具ではなく、人間の手の形を模してみたのは健常者には遊興性を提供し、認知機能の衰えを見せる要介護高齢者には、人間の手による飲料の提供であるかのような慈愛と慈しみをも提供し、介護・医療現場の深刻な人手不足を巣押しでも使用者提供者両サイドから改善しようとした。本発明は、ゴム管を巻いた針金で構成されるため、衝撃イコール即破損といった一般的なプラスチック・金属製品とは異なり、落下などによる衝撃の破損の可能性が低い。認知機能の衰えた要介護高齢者が踏み潰しても、形状の変化は見ても、余ほど鋭角な折込を数度同じ個所に故意に入れない限り破損の心配が少ない。従って、滑り止め・防振・防水・携帯性・廉価性又はそのゴム管が人間の肌色にも近似する色彩を持つこと、身近な材料のみで構成されること等から、携帯しても出張鞄等のサイドスペースに押し込み、出して形を整て使用する、落下して人が誤って踏んでも形を整えて使用可能であるのみならず、健常者や特に要介護高齢者で在宅や施設で介護や医療を受ける者等にも広く普及することを期待することが可能である。
トレー等平べったい形状の物に差し込み固定するのなら、当然自家用車等の空調機の排気口部分に差し入れ固定する応用は可能であり、巻いたゴム管が滑り止め・防振・防水・携帯性を発揮し、容易に曲がる柔軟性がフットブレーキ部分に走行の振動で落下しても、ブレーキ操作に何ら支障を与えない安全性があることは変わらない。
【発明の効果】
【０００７】  柔軟性のある針金を、トレー等とこの固定器具との固定は、フォーク状の爪を加工し成形し、トレー等に差し込み、固定し、次にペットボトル、紙コップ等飲料容器は、その形状・硬さ・飲料の温度等一律ではないので、コイル状に筆記用具固定器具を固定するように、コイル状に飲料容器を固定するが、無機質な固定器具でなく使い手が人間であることを考慮し、人間の手の形の飲料容器固定部分とし、あたかも飲料を握って差し出しているかのような遊興性を添えて成形し、健常者のみならず要介護認知症を患った高齢者、又は幼児をも遊興の対象にすることが可能な、一風変わった、無機質の固定器具ではなく、人間の手の形を模してみた。健常者には遊興性を提供し、認知機能の衰えを見せる要介護高齢者には、人間の手による飲料の提供であるかのような慈愛と慈しみをも提供し、介護・医療現場の深刻な人手不足を巣押しでも使用者提供者両サイドから改善しようと工夫を凝らすことができた。
トレー等平べったい形状の物に差し込み固定するのなら、当然自家用車等の空調機の排気口部分に差し入れ固定する応用は可能であり、巻いたゴム管が滑り止め・防振・防水・携帯性を発揮し、容易に曲がる柔軟性がフットブレーキ部分に走行の振動で落下しても、ブレーキ操作に何ら支障を与えない安全性があることは変わらないが、現に自家用車内の固定器具としても使用可能なことが確認できた。
【図面の簡単な説明】
【０００８】
【図１】本発明の斜見図である。
【図２】本発明の上面図である。
【図３】本発明の断面図である。
【発明を実施するための形態】
【０００９】本発明を実施するための形態を説明する。
【符号の簡単な説明】
１  ペットボトル
２  固定部
３  支え部
４  フォーク状フック部
５  トレー
６  針金を巻いた飴色のゴム管
【図１】
2014217725.tif 000003
【図２】
2014217725.tif 000004
【図３】
2014217725.tif 000005